(57)【要約】【課題】大規模な災害が発生した場合においても、普段使い慣れた携帯電話機により、災害に関する情報の収集を可能にすることを目的とする。【解決手段】通信システム１は、携帯電話機５が基地局を介した通信を行えない不通エリアに設置される。通信システム１は、基地局と同一周波数帯の電波を出力して、出力した電波の届く範囲内の携帯電話機５と無線回線により接続される小型基地局２と、小型基地局２とＬＡＮ６により接続されるとともに、不通エリア外に設置された情報提供サーバ４と衛星回線により接続される衛星通信端末３とを備える。通信システム１は、携帯電話機５が、小型基地局２と衛星通信端末３とを介して、情報提供サーバ４との通信を行えるようにする。【選択図】図１
2013077930.tif 000002
【特許請求の範囲】
【請求項１】
携帯電話機が基地局を介した通信を行えない不通エリアに設置される通信システムであり、
前記基地局と同一周波数帯の電波を出力して、出力した電波の届く範囲内の携帯電話機と無線回線により接続される小型基地局と、
前記小型基地局とインターネット回線により接続されるとともに、前記不通エリア外に設置された外部装置と衛星回線により接続される衛星通信端末と
を備え、
携帯電話機が、前記小型基地局と前記衛星通信端末とを介して、前記外部装置との通信を行えるようにする
ことを特徴とする通信システム。
【請求項２】
前記外部装置は、前記不通エリアに関する情報を提供する情報提供サーバである
ことを特徴とする請求項１に記載の通信システム。
【請求項３】
前記通信システムは、災害が発生し、携帯電話機が基地局を介した通信を行えない不通エリアに設置され、
前記情報提供サーバは、前記災害に関する情報を提供する
ことを特徴とする請求項２に記載の通信システム。
【請求項４】
前記外部装置は、他の携帯電話機との通信を中継する中継サーバである
ことを特徴とする請求項１に記載の通信システム。
【発明の詳細な説明】
【技術分野】
【０００１】
この発明は、携帯電話機を用いた通信システムに関する。
【背景技術】
【０００２】
地震等の大規模な災害が発生した場合、災害が発生した場所にいる人は、災害に関する情報を早急に収集し、対応する必要がある。
しかし、大規模な災害が発生すると、携帯電話通信網を構成する機器の損壊や、通信の輻輳により、最も身近な通信端末である携帯電話機を用いた通信が行えなくなる場合がある。
この場合、基地局に代えて、無線ＬＡＮアクセスポイントを介して、携帯電話機を用いた通信を行い、情報を収集することが考えられる（特許文献１参照）。また、携帯電話機による通信に代えて、ＰＤＡ（Ｐｅｒｓｏｎａｌ  Ｄｉｇｉｔａｌ  Ａｓｓｉｓｔａｎｔｓ）等の他の端末を用い、無線通信や衛星通信により、情報を収集することが考えられる。
【先行技術文献】
【特許文献】
【０００３】
【特許文献１】特開２００８−２６３２８２号公報
【発明の概要】
【発明が解決しようとする課題】
【０００４】
無線ＬＡＮアクセスポイントを介して通信を行うには、携帯電話機が無線ＬＡＮによる通信機能を備えている必要がある。しかし、無線ＬＡＮによる通信機能を備えていない携帯電話機も多い。
ＰＤＡ等を用いた通信を行うには、ＰＤＡ等の端末を用意しなければならない。また、ＰＤＡ等の端末を用意したとしても、普段使用していない端末により情報を収集することは、難しい場合がある。
この発明は、大規模な災害が発生した場合等においても、普段使い慣れた携帯電話機により、災害に関する情報の収集等を可能にすることを目的とする。
【課題を解決するための手段】
【０００５】
この発明に係る通信システムは、
携帯電話機が基地局を介した通信を行えない不通エリアに設置される通信システムであり、
前記基地局と同一周波数帯の電波を出力して、出力した電波の届く範囲内の携帯電話機と無線回線により接続される小型基地局と、
前記小型基地局とインターネット回線により接続されるとともに、前記不通エリア外に設置された外部装置と衛星回線により接続される衛星通信端末と
を備え、
携帯電話機が、前記小型基地局と前記衛星通信端末とを介して、前記外部装置との通信を行えるようにする
ことを特徴とする。
【０００６】
前記外部装置は、前記不通エリアに関する情報を提供する情報提供サーバである
ことを特徴とする。
【０００７】
前記通信システムは、災害が発生し、携帯電話機が基地局を介した通信を行えない不通エリアに設置され、
前記情報提供サーバは、前記災害に関する情報を提供する
ことを特徴とする。
【０００８】
前記外部装置は、他の携帯電話機との通信を中継する中継サーバである
ことを特徴とする。
【発明の効果】
【０００９】
この発明に係る通信システムでは、大規模な災害が発生し、携帯電話機による基地局を介した通信を行えなくなった場合においても、小型基地局と衛星通信端末とを介して携帯電話機と外部端末との通信を可能にする。これにより、普段使い慣れた携帯電話機により、災害に関する情報の収集等が可能になる。
【図面の簡単な説明】
【００１０】
【図１】実施の形態１に係る通信システム１の構成図。
【図２】小型基地局２の機能を示すブロック図。
【図３】衛星通信端末３の機能を示すブロック図。
【図４】情報提供サーバ４の機能を示すブロック図。
【図５】通信システム１の処理の流れを示すフローチャート。
【図６】小型基地局２、衛星通信端末３、情報提供サーバ４のハードウェア構成の一例を示す図。
【発明を実施するための形態】
【００１１】
実施の形態１．
実施の形態１では、大規模な災害が発生した場合に、通常の基地局を介して携帯電話機が通信を行えない状態となったエリア（不通エリア）に設置される通信システム１について説明する。
【００１２】
図１は、実施の形態１に係る通信システム１の構成図である。
通信システム１は、小型基地局２、衛星通信端末３、情報提供サーバ４（外部装置）を備える。
小型基地局２は、携帯電話通信網における通常の基地局と同一周波数帯の電波を出力し、出力した電波の届く範囲内にある携帯電話機５からの要求に応じて、その携帯電話機５と無線回線により接続される。小型基地局２は、通常の基地局が電波を出力する範囲よりも狭い範囲へ電波を出力する。小型基地局２は、例えば、フェムトセルである。
衛星通信端末３は、小型基地局２とＬＡＮ６（Ｌｏｃａｌ  Ａｒｅａ  Ｎｅｔｗｏｒｋ，インターネット回線の一例）により接続される。また、衛星通信端末３は、情報提供サーバ４と、衛星７を介する衛星回線により接続される。
情報提供サーバ４は、不通エリア外に設置されたサーバであり、災害に関する情報を携帯電話機５へ提供するサーバである。災害に関する情報とは、例えば、安否情報、避難所情報、救援物資情報等の災害が発生したエリアの人が必要とする情報である。
【００１３】
不通エリアに、複数の小型基地局２や、各小型基地局２と接続された衛星通信端末３を配備する。これにより、不通エリアにおいても、携帯電話機５により、小型基地局２と衛星通信端末３とを介して、不通エリア外に設置された情報提供サーバ４と通信することができる。
特に、小型基地局２は、通常の基地局と同一周波数帯の電波を出力し、通常の基地局と同一の手順により携帯電話機５と接続される。そのため、携帯電話機５は、無線ＬＡＮ機能のように、通常の通信機能以外に特別な通信機能を備えることなく、小型基地局２と衛星通信端末３とを介して、不通エリア外に設置された情報提供サーバ４と通信することができる。
【００１４】
図２は、小型基地局２の機能を示すブロック図である。
小型基地局２は、電波出力部２１、要求受信部２２、接続部２３を備える。
電波出力部２１は、所定の範囲へ電波を出力する。要求受信部２２は、電波出力部２１が出力した電波の届く範囲内にある携帯電話機５から、電波を介して接続要求Ａを受信する。接続要求Ａには、送信元の携帯電話機５の識別情報が含まれている。接続部２３は、接続要求Ａに含まれる識別情報により接続要求Ａを送信した携帯電話機５を特定し、特定した携帯電話機５と無線回線を介して接続を確立する。また、接続部２３は、衛星通信端末３へ接続要求Ｂを送信する。
【００１５】
図３は、衛星通信端末３の機能を示すブロック図である。
衛星通信端末３は、要求受信部３１、接続部３２を備える。
要求受信部３１は、小型基地局２からの接続要求Ｂを受信する。接続要求Ｂには、送信元の小型基地局２の識別情報が含まれている。接続部３２は、接続要求Ｂに含まれる識別情報により接続要求Ｂを送信した小型基地局２を特定し、特定した小型基地局２とＬＡＮ６を介して接続を確立する。また、接続部３２は、情報提供サーバ４へ接続要求Ｃを送信する。
【００１６】
図４は、情報提供サーバ４の機能を示すブロック図である。
情報提供サーバ４は、要求受信部４１、接続部４２、情報記憶部４３、情報送信部４４を備える。
要求受信部４１は、衛星通信端末３からの接続要求Ｃを受信する。接続要求Ｃには、送信元の衛星通信端末３の識別情報が含まれている。接続部４２は、接続要求Ｃに含まれる識別情報により接続要求Ｃを送信した衛星通信端末３を特定し、特定した衛星通信端末３と衛星回線を介して接続を確立する。情報記憶部４３は、入力装置を介して入力された災害に関する情報や、通信回線を介して収集された災害に関する情報を記憶する記憶装置である。情報送信部４４は、携帯電話機５からの要求に従い、情報記憶部４３に記憶された情報を、衛星通信端末３と小型基地局２とを介して携帯電話機５へ送信する。
【００１７】
図５は、通信システム１の処理の流れを示すフローチャートである。
まず、携帯電話機５が、接続要求Ａを小型基地局２へ送信する（Ｓ１）。次に、要求受信部２２が、携帯電話機５から接続要求Ａを受信する（Ｓ２）。次に、接続部２３が、携帯電話機５との接続を確立するとともに（Ｓ３）、接続要求Ｂを衛星通信端末３へ送信する（Ｓ４）。次に、要求受信部３１が、接続部２３が送信した接続要求Ｂを受信する（Ｓ５）。次に、接続部３２が、小型基地局２との接続を確立するとともに（Ｓ６）、接続要求Ｃを情報提供サーバ４へ送信する（Ｓ７）。次に、要求受信部４１が、接続部３２が送信した接続要求Ｃを受信する（Ｓ８）。次に、接続部４２が、衛星通信端末３との接続を確立する（Ｓ９）。これにより、携帯電話機５と情報提供サーバ４との接続が、小型基地局２と衛星通信端末３とを介して確立される。例えば、衛星通信端末３と情報提供サーバ４との接続が確立された時点で、情報提供サーバ４、衛星通信端末３、小型基地局２、携帯電話機５の順に、接続が完了したことが通知される。
そして、携帯電話機５が、情報の取得要求を情報提供サーバ４へ送信し（Ｓ１０）、情報送信部４４が取得要求に応じた情報を情報記憶部４３から取得して、携帯電話機５へ送信する（Ｓ１１）。
【００１８】
なお、携帯電話機５と情報提供サーバ４との接続を確立する手順は、Ｓ１からＳ９までの流れと異なるものであってもよい。例えば、携帯電話機５から接続要求Ａが小型基地局２へ送られ、小型基地局２から接続要求Ｂが衛星通信端末３へ送られ、衛星通信端末３から接続要求Ｃが情報提供サーバ４へ送られ、接続確立の認証が取れた後で、各装置間の接続を確立してもよい。
【００１９】
以上のように、実施の形態１に係る通信システム１によれば、災害が発生し、通常の基地局を介して携帯電話機５が通信を行えない状態となった不通エリアから、不通エリア外に設置された情報提供サーバ４へ携帯電話機５によりアクセスすることが可能になる。そのため、災害が発生したエリアにいる人が、使い慣れた携帯電話機５を使って、災害に関する情報の収集を行うことが可能になる。
無線ＬＡＮ等の通信機能を携帯電話機５が備えている必要はないため、多くの人が災害に関する情報の収集を行うことが可能になる。
【００２０】
小型基地局２は、通常の基地局と異なり小型であり、容易に持ち運び、設置が可能である。同様に、衛星通信端末３にも、小型で、容易に持ち運び、設置が可能なものがある。したがって、災害が発生した後に、災害が発生したエリアに小型基地局２と衛星通信端末３とを容易に設置することが可能である。
【００２１】
情報提供サーバ４が不通エリア内に設置されている場合、災害に関する情報を情報提供サーバ４に蓄積することが困難になる。しかし、通信システム１では、情報提供サーバ４が不通エリア外に設置されているため、災害に関する情報を容易に蓄積することができる。
【００２２】
なお、上記説明における情報提供サーバ４に代えて、他の携帯電話機５との通信を中継する中継サーバを設けてもよい。つまり、不通エリア内の携帯電話機５が、小型基地局２と衛星通信端末３とを介して中継サーバへ接続され、中継サーバから他の携帯電話機５へ接続されるようにしてもよい。接続先の携帯電話機５は、不通エリア外にあってもよいし、不通エリア内にあってもよい。
また、上記説明における情報提供サーバ４に代えて、他のサーバ（ウェブサーバ等）との通信を中継する中継サーバを設けてもよい。つまり、不通エリア内の携帯電話機５が、小型基地局２と衛星通信端末３とを介して中継サーバへ接続され、中継サーバから他のサーバへ接続されるようにしてもよい。接続先のサーバは、不通エリア外にあってもよいし、不通エリア内にあってもよい。
【００２３】
図６は、小型基地局２、衛星通信端末３、情報提供サーバ４のハードウェア構成の一例を示す図である。
図１１に示すように、小型基地局２、衛星通信端末３、情報提供サーバ４は、プログラムを実行するＣＰＵ９１１（Ｃｅｎｔｒａｌ  Ｐｒｏｃｅｓｓｉｎｇ  Ｕｎｉｔ、処理装置の一例）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。
【００２４】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００２５】
プログラム群９２３には、上記の説明において「電波出力部２１」、「要求受信部２２」、「接続部２３」、「要求受信部３１」、「接続部３２」、「要求受信部４１」、「接続部４２」、「情報送信部４４」等として説明した機能を実行するソフトウェアやプログラムやその他のプログラムが記憶されている。プログラムは、ＣＰＵ９１１により読み出され実行される。
ファイル群９２４には、上記の説明において「情報記憶部４３」に格納される情報やデータや信号値や変数値やパラメータが、「データベース」の各項目として記憶される。
【００２６】
なお、上記説明において「〜部」として説明するものは、「〜回路」、「〜装置」、「〜ステップ」、「〜処理」、「〜プログラム」であってもよい。
【符号の説明】
【００２７】
１  通信システム、２  小型基地局、３  衛星通信端末、４  情報提供サーバ、５  携帯電話機、６  ＬＡＮ、７  衛星、２１  電波出力部、２２  要求受信部、２３  接続部、３１  要求受信部、３２  接続部、４１  要求受信部、４２  接続部、４３  情報記憶部、４４  情報送信部。
【図１】
2013077930.tif 000003
【図２】
2013077930.tif 000004
【図３】
2013077930.tif 000005
【図４】
2013077930.tif 000006
【図５】
2013077930.tif 000007
【図６】
2013077930.tif 000008